(57)【要約】     【課題】  外部から操作されるレバー等の付加部品を用いることなく硬性鏡の撮影装置に対するロック及びアンロックを可能にするロック機構をバイヨネットマウントに組み込んだ硬性鏡システム    【解決手段】  撮影装置の正面に穿たれている硬性鏡挿入部１４ａを取り囲むように、内方フランジ２２ｂを先端に有するマウント口金２２が固着されている。この内方フランジ２２ｂには、接眼部１３から径方向へ突出したバイヨネット爪１３ｃを通過させるバイヨネット雌部２２ｃが切り欠かれている。このマウント口金２２の内部には、バイヨネット雌部２２ｃと重ならない部分にのみバイヨネット爪１３ｃが軸方向から係合する凹部２１ａが形成されたロックリング２１が固定されている。この凹部２１ａと内方フランジ２２ｂとの間には、バイヨネット爪１３ｃを凹部２１ａへ向けて付勢する板バネ２３ｃが設けられている。【選択図】    図１５
2006122464.tif 000002
【特許請求の範囲】
【請求項１】
その先端から入射した被写体からの光に基づいてその像を形成する対物光学系を内蔵するとともに当該像を結んだ光をその基端から射出する硬性鏡と、この硬性鏡の前記基端が着脱自在に接続されるとともに前記像を撮像する撮影装置とからなる硬性鏡システムであって、
前記硬性鏡は、
前記基端をなす円筒形状の接合部と、
この接合部との段差にこの接続部の軸に直交する方向を向いた円環状の第１マウント面を有する大径部と、
前記マウント面と平行に前記接合部の外表面から扇状に突出している少なくとも一つのバイヨネット爪とを有し、
前記撮影装置は、
前記接合部が挿入される挿入口が形成された本体と、
前記挿入口に前記接合部が挿入されたときに前記硬性鏡の前記バイヨネット爪を通過させる切欠を周方向における一部に有するともにその端面が前記第１マウント面と当接する第２マウント面として形成された円環状の内方フランジと、
前記内方フランジよりも前記本体側に位置することによって前記内方フランジとの間に空間を形成するとともに、当該空間内に入り込んだ前記バイヨネット爪が前記挿入口の軸と平行な方向から係合して前記第１マウント面が前記第２マウント面に当接する位置にまで侵入する凹部が、その端面における前記切欠に重ならない部分にのみ形成されているロックリングと、
前記空間における前記凹部と重なる位置に入り込んだ前記バイヨネット爪を前記凹部に向けて付勢する付勢手段と
を有することを特徴とする硬性鏡システム。
【請求項２】
前記付勢手段は、前記切欠に近接した側において前記内方フランジに近接するとともに、前記凹部に近接した側において前記ロックリングに近接するように傾斜した板バネである
ことを特徴とする請求項１記載の硬性鏡システム。
【請求項３】
前記硬性鏡には、前記バイヨネット爪が複数あり、
前記撮影装置は、前記各バイヨネット爪に対応して、夫々、前記切欠、前記凹部及び前記付勢手段を有している
ことを特徴とする請求項１記載の硬性鏡システム。
【請求項４】
前記内方フランジは、前記ロックリングを囲むように前記本体に固定された円筒の先端に形成されている
ことを特徴とする請求項１記載の硬性鏡システム。
【発明の詳細な説明】
【技術分野】
【０００１】
本発明は、医療分野や工業分野において用いられる硬性鏡システムに、関する。
【背景技術】
【０００２】
周知のように、従来の硬性鏡は、検査対象内に先端が挿入される金属製の挿入管を有しており、挿入管の内部には、その先端側から基端側へ検査対象の像を伝送する対物光学系及びリレー光学系が、組み込まれている。また、挿入管の基端には、上記各光学系が伝送した検査対象の像を拡大観察可能にする接眼レンズを保持する接眼部が、固定されている。
【０００３】
近年、硬性鏡を撮影装置に装着することにより、この硬性鏡の接眼レンズにより形成される検査対象の像を撮影装置内の撮像素子によって撮影し、撮影した画像をモニタ上に表示する硬性鏡システムが、実用されている。このような硬性鏡システムにおいて硬性鏡を撮影装置に接続する方法としては、例えば、本出願人が先に出願した特許文献１に開示したもののように、所謂バイヨネットマウントを用いることが考えられる。
【０００４】
ところで、バイヨネットマウントが一般的に用いられているレンズ交換式カメラシステムでは、上記特許文献２に示すように、本体側（上述した硬性鏡システムにおいては撮影装置に相当）にロックレバーとこのロックレバーに連動するロックピンが設けられているとともに、レンズ側（上述した硬性鏡システムにおいては硬性鏡に相当）には当該ロックピンと係合する凹部が設けられ、ロックピンの先端が凹部に係合することによってレンズの回転（従ってレンズの脱落）が防止され、また、ロックレバーを操作してロックピンを凹部から積極的に外した場合にのみレンズの回転が可能となる（従ってレンズを外すことが可能となる）ロック機構が、組み込まれている。
【０００５】
このようなロックレバーを利用するロック機構が硬性鏡システムに組み込まれれば、検査中に硬性鏡が撮影装置から外れる可能性を未然に防ぐことが可能となる。なお、ロック機構によって回転が防止されることを「ロック」と云い、回転が可能となることを「アンロック」と云う。
【特許文献１】特開２００４−１７３８１３号公報
【特許文献２】特開平８−２８７３１６号公報
【発明の開示】
【発明が解決しようとする課題】
【０００６】
しかしながら、このような機構を組み込むためには、雌側のマウント（特許文献１の場合には撮影装置側のマウント）の外径を大きくしなければならないとともに、部品点数も多くなってしまうので、小型軽量であることが要求される硬性鏡システムに採用するにはふさわしくない。また、ロックレバーを外部から操作する部分に不可避的に継ぎ目が生じてしまうので、硬性鏡とは異なり滅菌処理をし難い撮影装置には、院内感染予防の観点から採用し難い。
【０００７】
そこで、本発明は、外部から操作されるレバー等の付加部品を用いることなく硬性鏡の撮影装置に対するロック及びアンロックを可能にするロック機構をバイヨネットマウントに組み込んだ硬性鏡システムの提供を、課題とする。
【課題を解決するための手段】
【０００８】
上記の課題を解決するために案出された本発明による硬性鏡システムは、その先端から入射した被写体からの光に基づいてその像を形成する対物光学系を内蔵するとともに当該像を結んだ光をその基端から射出する硬性鏡と、この硬性鏡の前記基端が着脱自在に接続されるとともに前記像を撮像する撮影装置とからなる硬性鏡システムであって、前記硬性鏡は、前記基端をなす円筒形状の接合部と、この接合部との段差にこの接続部の軸に直交する方向を向いた円環状の第１マウント面を有する大径部と、前記マウント面と平行に前記接合部の外表面から扇状に突出している少なくとも一つのバイヨネット爪とを有し、前記撮影装置は、前記接合部が挿入される挿入口が形成された本体と、前記挿入口に前記接合部が挿入された前記硬性鏡の前記バイヨネット爪を通過させる切欠を周方向における一部に有するともにその端面が前記第１マウント面と当接する第２マウント面として形成された円環状の内方フランジと、前記内方フランジよりも前記本体側に位置することによって前記内方フランジとの間に空間を形成するとともに、当該空間内に入り込んだ前記バイヨネット爪が前記挿入口の軸と平行な方向から係合して前記第１マウント面が前記第２マウント面に当接する位置にまで侵入する凹部が、その端面における前記切欠に重ならない部分にのみ形成されているロックリングと、前記空間における前記凹部と重なる位置に入り込んだ前記バイヨネット爪を前記凹部に向けて付勢する付勢手段とを、有することを特徴とする。
【０００９】
このような構成によると、硬性鏡の接合部を撮影装置の本体における挿入口に挿入した時には、硬性鏡の撮影装置に対する回転位置を調整することによって、この硬性鏡のバイヨネット爪の方向と撮影装置の内方フランジの切欠の方向とを合致させれば、バイヨネット爪が切欠を通過することができる。このようにして内方フランジとロックリングとの間の空間に硬性鏡のバイヨネット爪を侵入させた後に、硬性鏡の撮影装置に対する回転位置を再度調整することによって、この硬性鏡のバイヨネット爪を撮影装置のロックリングの凹部に重ねれば、このバイヨネット爪が付勢手段によって付勢されて凹部に係合し、更に、この凹部内を、硬性鏡の第１マウント面が撮影装置の内方フランジの第２マウント面に当接する位置にまで侵入することができる。この位置でも、バイヨネット爪は付勢手段による付勢を受けるので、この付勢力は、第１フランジが第２フランジに圧着するように作用する。このようにして、バイヨネット爪が付勢手段によって付勢されつつ凹部に係合した状態では、このバイヨネット爪が凹部から外れることはないので、硬性鏡の撮影装置に対する回転が規制される。これに対して硬性鏡を撮影装置から外す場合には、作業者は、付勢手段による付勢力よりも強い力で硬性鏡を撮影装置から引き出す。すると、バイヨネット爪が凹部から離脱するので、硬性鏡を撮影装置に対して回転させることが可能になる。その結果、硬性鏡の撮影装置に対する回転位置を調整することによって、この硬性鏡のバイヨネット爪の方向と撮影装置の内方フランジの切欠の方向とを合致させれば、バイヨネット爪が切欠を通過できるので、硬性鏡の接合部を撮影部の本体における挿入口から引き抜くことが可能となるのである。
【発明の効果】
【００１０】
以上に説明したように、本発明によれば、外部から操作されるレバー等の付加部品がなくても、従来のバイヨネットマウントの形状を変更するだけで、硬性鏡の撮影装置に対するロック及びアンロックが可能になる。よって、雌側のマウントの外径が大きくなることも、部品点数が多くなることも、消毒し難い継ぎ目が撮影装置に生じてしまうことも、防止することができる。
【発明を実施するための最良の形態】
【００１１】
以下、図面に基づいて本発明を実施するための形態を説明する。
（構成）
本実施形態による硬性鏡システム１は、図１の斜視図に示すように、患者の腹壁に嵌め込まれたトラカールを介して患者の体腔内に挿入される硬性鏡１０と、この硬性鏡１０の基端（図示せぬ接眼部１３）に接続された撮像装置１４とから、構成されている。
【００１２】
図２は、硬性鏡システム１を構成する硬性鏡１０の斜視図であり、図３は、この硬性鏡１０の側面図であり、図４は、図３における矢印IV方向からこの硬性鏡１０を見たときの背面図である。
【００１３】
硬性鏡１０は、患者の体腔内に挿入される長尺の円筒形状を有する挿入管１１と、この挿入管の基端に同軸に連続する円筒形状を有する大径部としての円筒部１２と、この円筒部１２の基端に同軸に連続する円筒形状を有する接合部としての接眼部１３とから、構成されている。
【００１４】
挿入管１１及び円筒部１２内には、図示を省略したが、その先端から入射した被写体からの光に基づいてその像を形成するための対物レンズと、この像をリレーするための多数のリレーレンズが保持されている。この円筒部１２の外径は、挿入管１１の外径よりも大きく、その外周面の一カ所から、挿入管１１の先端面から照射される照明光を外部の光源装置（図示略）から導入するための可撓性を有するライトガイド１２ａが、垂直に延びている。
【００１５】
接眼部１３内には、最後端のリレーレンズによってリレーされた像を結んだ光をその後端から射出するアイピースレンズが、保持されている。この接眼部１３の外径は、円筒部１２の外径よりも細い。
【００１６】
この接眼部１３の前側役１／４の位置には、その径方向に向かって突出する三つのバイヨネット爪１３ｃ，１３ｃ，１３ｃが、突出形成されている。これら三つのバイヨネット爪１３ｃ，１３ｃ，１３ｃの形状は、具体的には、接眼部１３の外径よりも大きい半径で頂角がおよそ４５°の扇形から、接眼部１３の外径と同じ大きさの半径で頂角が同じ角度の扇形を切り取ったのと等価な形状である。そして、三つのバイヨネット爪１３ｃ，１３ｃ，１３ｃが、周方向に沿って１２０°づつの等角度間隔にて配置されているのである。
【００１７】
なお、円筒部１２と接眼部１３との境の段差は、その中心軸に直交した段差面（以下、「第１マウント面１２ｂ」という）を形成している。
【００１８】
次に、撮像装置１４の説明を行う。この撮像装置１４は、硬性鏡１０によって形成された像を撮像する装置であり、その内部に、図示せぬ結像レンズ及び撮像素子を内蔵している。この撮像装置１４の斜視図を図５に示し、正面図を図６に示し、図６のVII−VII線に沿った縦断面を図７に示す。これら各図に示されたように、この撮像装置１４は、直方体状の外形を有しており、その先端面には、硬性鏡１０の挿入部１３ｂの外径とほぼ同じ内径を有する断面円形の開口である硬性鏡挿入部（挿入口）１４ａが、形成されている。
【００１９】
そして、撮像装置１４の筐体（本体）の先端面には、この先端面における硬性鏡挿入部１４ａを取り囲むように、その表面形状が周方向に不連続な面として形成されたロックリング２１が固定されているとともに、このロックリング２１を覆うように、円筒状のマウント口金２２が固定されている。そして、これらロックリング２１とマウント口金２２との間の空間内に、バネリング２３が配置されている。図８は、これらロックリング２１，バネリング２３，及びマウント口金２２の分解図である。
【００２０】
このマウント口金２２は、硬性鏡１０の各バイヨネット爪１３ｃの外径よりも若干大きな内径を有する有底円筒の先端に、当該硬性鏡１０のマウント部１３ａの外径よりも僅かに大きい内径の内方フランジ２２ｂを設け、この内方フランジ２２ｂに、等角度間隔（１２０度づつの角度間隔）で３つの扇形の切欠き（以下、「バイヨネット雌部２２ｃ，２２ｃ，２２ｃ」という）を形成した形状を、有している。これら３つのバイヨネット雌部２２ｃ，２２ｃ，２２ｃは、上記硬性鏡１の三つのバイヨネット爪１３ｃ，１３ｃ，１３ｃとほぼ同じ形状に形成されており、これらバイヨネット爪１３ｃとほぼ同じ大きさか若干大きい大きさを有している。そして、内方フランジ２２ｂにおけるこれら三つのバイヨネット雌部２２ｃ，２２ｃ，２２ｃによって残された部分が、いわゆるバイヨネット内爪として機能する。なお、このマウント口金２２の先端面は、硬性鏡挿入部１４ａの中心軸に直交した方向を向いた円環面（以下、「第２マウント面２２ｅ」という）を形成している。
【００２１】
ロックリング２１は、マウント口金２２の内径とほぼ等しい外径と硬性鏡挿入部１４ａと同径の内径を有する扁平な円筒の外端面を、等角度間隔の三箇所において夫々三段の段差を持つように不連続に削った形状を有している。即ち、マウント口金２２の各バイヨネット雌部２２ｃ，２２ｃ，２２ｃと重なる箇所は、中間部２１ａとして形成され、マウント口金２２の各バイヨネット内爪と重なる部分のうち時計方向側の１／２弱が凹部２１ｂとして形成され、残りが凸部２１ｃとして形成されている。この凸部２１ｃは、時計方向側に隣接する凹部２１ｂとの間に形成される段差によって硬性鏡１０のバイヨネット爪１３ｃの反時計方向への回転を阻止するとともに、マウント口金２２の内方フランジ２２ｂ（バイヨネット内爪）との間でバネリング２３を挟み込んで固定する機能を有している。従って、凸部２１ｃの表面からマウント口金２２の内方フランジ２２ｂの裏面までの距離は、バネリング２３の厚さと一致する。また、凹部２１ｂは、ロック状態にある硬性鏡１０のバイヨネット爪１３ｃを収容する部分である。従って、凹部２１ｂの表面からマウント口金２２の第２マウント面２２ｅまでの距離は、硬性鏡１０の第１マウント面１２ｂからバイヨネット爪１３ｃの後端までの距離よりも長い。中間部２１ａは、反時計方向に隣接する凹部２１ｂとの間に形成される段差によって当該凹部２１ｂに収容されているバイヨネット爪１３ｃの時計方向への回転を阻止するとともに、バネリング２３との間に形成される隙間を通じて、凹部２１ｂとの間でのバイヨネット爪１３ｃの移動を許容する機能を有している。従って、中間部２１ａの表面からマウント口金２２の第２マウント面２２ｅまでの距離は、硬性鏡１０の第１マウント面１２ｂからバイヨネット爪１３ｃの前端までの距離よりも短く、この中間部２１ａの表面からマウント口金２２の内方フランジ２２ｂの裏面までの距離は、バネリング２３の厚さとバイヨネット爪１３ｃの厚さとを加えたものよりも長い。
【００２２】
バネリング２３の内縁は、軸方向に視線を向けて見たときのマウント口金２２の内方フランジ２２ｂの内縁とほぼ同じ円環形状に、形成されている。具体的には、円環状の金属板の内周縁に、上記バイヨネット雌部２２ｃと同じ形状且つ同じ大きさの三つの切欠き２３ａ，２３ａ，２３ａが、周方向に沿って１２０°づつの等角度間隔にて形成されている。
【００２３】
また、バネリング２３における各切欠き２３ａ，２３ａ，２３ａに挟まれた部分（上記バイヨネット内爪に重なる部分）には、略Ｌ字状の切り込み（軸側の縁辺のほぼ中心から径方向に沿った切り込まれるとともに、外周縁に達する前に図９の時計方向に沿って切り込まれてできる切り込み）２３ｂ，２３ｂ，２３ｂが形成されており、これら切り込み２３ｂにて囲まれる片が、「く」の字状に折り曲げられることによって、板バネ２３ｃ，２３ｃ，２３ｃとして構成されている。各板バネ２３ｃ，２３ｃ，２３ｃは、夫々、各バイヨネット雌部２２ｃに近接した側において内方フランジ２２ｂに近接するとともに、他の側においてロックリング２１に近接するように傾斜した状態で、その先端がロックリング２１の凹部２１ｂ内に入り込んでいる。また、各板バネ２３ｃ，２３ｃ，２３ｃとは逆側（反時計側）において各切り込み２３ｂ，２３ｂ，２３ｂと各切欠き２３ａ，２３ａ，２３ａとの間に残された部分が、ロックリング２１の各凸部２１ｃ，２１ｃ，２１ｃとマウント口金２２との間に挟み込まれる部分である。
（装着手順）
以下、図１１乃至図１５を参照して硬性鏡１０を撮影装置１４に装着する際の動作を、図１６乃至図１８を参照して硬性鏡１０を撮影装置１４から外す際の動作を説明する。なお、図１１乃至図１８における（ａ）は、各状態における硬性鏡１０及び撮影装置１４の斜視図であるが、理解を容易にするために、図１２（ａ）乃至図１５（ａ）では、図１９に示すＡ−Ａ線よりも先端側を省略し、接眼部１３のみを示している。更に、図１３（ａ）乃至図１５（ａ）では、マウント口金２２の図示も省略している。また、図１１乃至図１８における（ｂ）は、各状態において図６のＢ−Ｂ線に沿った断面を示している。
【００２４】
先ず、作業者は、硬性鏡１０を撮影装置１４に装着する際には、図１１に示すように、硬性鏡１０の接眼部１３と撮影装置１４の硬性鏡挿入部１４ａとを同軸に合わせるとともに、前者のバイヨネット爪１３ｃの方向とマウント口金２２のバイヨネット雌部２２ｃの方向とを合致させる。
【００２５】
次に、作業者は、硬性鏡１０を硬性鏡挿入部１４ａに向けて移動させて、図１２に示すように、前者の接眼部１３を後者に挿入し、更に、図１３に示すように、前者の各バイヨネット爪１３ｃをマウント口金２２の各バイヨネット雌部２２ｃを通過させて、各バイヨネット爪１３ｃをロックリング２１の各中間部２１ａの表面にほぼ接触させる。このとき、硬性鏡１０の第１マウント面１２ｂは、マウント口金２２の第２マウント面２２ｅから離間している。
【００２６】
次に、作業者は、図１４（ａ）に示すように、硬性鏡１０を撮影装置１４に対して反時計方向に回転させる。すると、図１４（ｂ）に示すように、各バイヨネット爪１３ｃは、ロックリング２１おける中間部２１ａの表面上を摺動しつつ、バネリング２３の各板バネ２３ｃをその弾性に抗して平板状に変形させながら、凹部２１ｂとの段差とバネリング２３との間の隙間を通って、最終的に、凹部２１ｂとマウント口金２２（バイヨネット内爪）との間の空間内に入り込む。
【００２７】
この状態で、作業者が硬性鏡１０に加えていた力を抜くと、図１５に示すように、各板バネ２３ｃに蓄積されていた弾発力によって、各バイヨネット爪１３ｃが、ロックリング２１における凹部２１ｂ内に押し込められる。但し、各バイヨネット爪１３ｃが各凹部２１ｂの表面上に接触する前に硬性鏡１０の第１マウント面１２ｂがマウント口金２２の第２マウント面２２ｅに接触するので、各板バネ２３ｃによる弾発力は、第１マウント面１２ｂの第２マウント面２２ｅに対する圧接力として加わることになる。従って、硬性鏡１０は撮影装置１４に対して強固に固定され、仮に硬性鏡１０に対して多少の曲げモーメントが加わったとしても、硬性鏡１０が撮影装置１４に対して傾くことはない。なお、この状態では、図１５（ｂ）に示すように、各バイヨネット爪１３ｃは凹部２１ｂ内に入り込んでいる。従って、この状態においては、バイヨネット爪１３ｃの反時計方向への移動は凹部２１ｂと凸部２１ｃとの間に形成された段差に当接することによって規制されるとともに、時計方向への移動は凹部２１ｂと中間部２１ａとの間に形成された段差に当接することによって規制されるので、たとえ硬性鏡１０に対して回転方向への力が加わったとしても、硬性鏡１０が撮影装置１４に対して回転することはなく、よって、各バイヨネット爪１３ｃが中間部２１ａ上の空間に移動してバイヨネット雌部２２ｃから脱落してしまうことがない。
【００２８】
硬性鏡システム１の使用後において、作業者が硬性鏡１０を撮影装置１４から取り外す際には、図１６（ａ）に示すように、硬性鏡１０を撮影装置１４から軸方向に引き出す。すると、同図（ｂ）に示すように、各バイヨネット爪１３ｃが、バネリング２３の各板バネ２３ｃをその弾性に抗しつつ平板状に変形させながら、その後端面が中間部２１ａの表面よりも前方となる位置まで移動する。
【００２９】
そこで、作業者は、硬性鏡１０に対して加えていた引出方向の力を弱めることなく、図１７（ａ）に示すように硬性鏡１０を時計方向に回転させる。すると、同図（ｂ）に示すように、各バイヨネット爪１３ｃが、中間部２１ａと凹部２１ｂとのエッジとバネリング２３との間の隙間を通って、中間部２１ａ上の空間に出てくる。
【００３０】
この状態から、作業者が硬性鏡を軸方向に引き出すと、図１８に示すように、各バイヨネット爪１３ｃがマウント口金２２の各バイヨネット雌部２２ｃを通り抜けるので、接眼部１３を硬性鏡挿入部１４ａから抜き出すことができる。
【００３１】
なお、一般的に硬性鏡の挿入管の表面は滑らかに構成されているので、硬性鏡を検査対象内から引き抜く際には硬性鏡を撮像装置から引き出す方向の力は発生しない。従って、硬性鏡の検査対象内からの引き抜きによりロックが外れる恐れはない。
（実施形態の効果）
以上説明した本実施形態によると、マウント口金２２が覆う内部空間の底面をなすロックリング２２の端面上に、マウント口金２２のバイヨネット内爪の内側に設置された板バネ２３ｃによって軸方向に付勢されたバイヨネット爪１３ｃが第１マウント面１２ｂが第２マウント面２２ｅに接触する位置まで侵入できる凹部２２ａが形成されており、この凹部２２ａに各バイヨネット爪１３ｃが係合することによってその回転が防止される。従って、外部から操作されるロックレバー等の複雑且つ撮影装置１４の外面に継ぎ目を生じるような機構を設ける必要がない。従って、部品点数の増加，それによる重量増大，マウント口金２２の拡大，及び、継ぎ目に侵入する病原物質等に起因する院内感染の危険をもたらすことなく、確実に、硬性鏡１０を撮影装置１４に対してロックして、前者の後者からの脱落を防止することができるとともに、硬性鏡１０を撮影装置１４からアンロックして、前者を後者から容易に外すことができる。
【図面の簡単な説明】
【００３２】
【図１】本実施形態の硬性鏡システムの斜視図
【図２】硬性鏡の斜視図
【図３】硬性鏡の側面図
【図４】図３の矢印IV方向から見た硬性鏡の背面図
【図５】撮影装置の斜視図
【図６】図５の矢印VI方向から見た撮影装置の正面図
【図７】図６のVII−VII線に沿った撮影装置の縦断面図
【図８】撮影装置側のマウントの分解図
【図９】バネリングの正面図
【図１０】バネリングの斜視図
【図１１】撮影装置に対する硬性鏡着脱時の動作の説明図
【図１２】撮影装置に対する硬性鏡着脱時の動作の説明図
【図１３】撮影装置に対する硬性鏡着脱時の動作の説明図
【図１４】撮影装置に対する硬性鏡着脱時の動作の説明図
【図１５】撮影装置に対する硬性鏡着脱時の動作の説明図
【図１６】撮影装置に対する硬性鏡着脱時の動作の説明図
【図１７】撮影装置に対する硬性鏡着脱時の動作の説明図
【図１８】撮影装置に対する硬性鏡着脱時の動作の説明図
【図１９】図１２（ａ）乃至１５（ａ）における硬性鏡の断面の位置を示す図
【符号の説明】
【００３３】
１      硬性鏡システム
１０      硬性鏡
１２ｂ    第１マウント面
１３      接眼部
１３ｃ    バイヨネット爪
１４      撮影装置
１４ａ    硬性鏡挿入部
２１      ロックリング
２１ａ    中間部
２１ｂ    凹部
２２      マウント口金
２２ｂ    内方フランジ
２２ｃ    バイヨネット雌部
２２ｅ    第２マウント面
２３      バネリング
２３ｃ    板バネ
【図１】
2006122464.tif 000003
【図２】
2006122464.tif 000004
【図３】
2006122464.tif 000005
【図４】
2006122464.tif 000006
【図５】
2006122464.tif 000007
【図６】
2006122464.tif 000008
【図７】
2006122464.tif 000009
【図８】
2006122464.tif 000010
【図９】
2006122464.tif 000011
【図１０】
2006122464.tif 000012
【図１１】
2006122464.tif 000013
【図１２】
2006122464.tif 000014
【図１３】
2006122464.tif 000015
【図１４】
2006122464.tif 000016
【図１５】
2006122464.tif 000017
【図１６】
2006122464.tif 000018
【図１７】
2006122464.tif 000019
【図１８】
2006122464.tif 000020
【図１９】
2006122464.tif 000021